(57)【要約】  【課題】  洗濯プロセス中に洗濯籠から洗濯物を取り出す、あるいは洗濯籠に洗濯物を入れるに際してユーザーが屈む必要のない装置を提供することである。  【解決手段】  洗濯用家電２０を支持する、床に向けて下方に伸延され得るキャビネット２２を床上に位置決めする支持構造に棚３０が収納される。棚３０は、洗濯籠を載せるに充分な所定の距離の位置まで、キャビネットのドア２６の下方で水平方向に移動し、また、洗濯籠を載せたままでドアを開閉できるような配置構成のものとされ得る。【選択図】  図３
2005230544.tif 000002
【特許請求の範囲】
【請求項１】
洗濯用家電であって、
洗濯処理機構を包囲するキャビネットにして、正面の垂直フェース位置に開放自在のドアを有するキャビネットと、
キャビネット内部に後退させた状態で設けた棚にして、前記ドアの下方で洗濯籠を受けるに充分な所定距離の水平方向位置に伸張自在に配列され、伸張状態下に前記洗濯籠を載せたままで開閉自在であるようにした棚と、
を含む洗濯用家電。
【請求項２】
棚が、キャビネットのドアの下方に位置決めした引き出しの内部に組み込まれる請求項１の洗濯用家電。
【請求項３】
棚が引き出し内で摺動自在である請求項２の洗濯用家電。
【請求項４】
棚が引き出しに関してピボット廻動自在である請求項２の洗濯用家電。
【請求項５】
棚が、引き出しの一部分と係合自在であり、該係合することにより引き出しに関する固定位置に固定され、棚が、該棚を引き出しから取り外すことができるようにするための、手で把持し得る開口を有している請求項２の洗濯用家電。
【請求項６】
棚がキャビネットに関して廻動自在である請求項１の洗濯用家電。
【請求項７】
棚が、その伸張位置において体重約４５〜１１３ｋｇの範囲のユーザーを支え得る請求項１の洗濯用家電。
【請求項８】
洗濯処理機構の下方に位置決めしたキャビネット構造を含み、該キャビネット構造がランナーを含み、棚が、該ランナーのみによって支持される請求項１の洗濯用家電。
【請求項９】
洗濯処理機構の下方の床と係合するローラを含み、棚が、該ローラによって支持される請求項１の洗濯用家電。
【請求項１０】
棚を伸張させるための、ユーザー操作式のラッチ及び該ラッチの係合するキャッチを含み、棚が、該キャッチからラッチを釈放させることにより伸張自在とされ、棚を伸張位置に偏倚させるために使用するバネを含む請求項１の洗濯用家電。
【請求項１１】
ラッチが足で操作可能である請求項１０の洗濯用家電。
【請求項１２】
正面側の垂直フェース位置に開放自在のドアを有する洗濯用家電のための支持体であって、
床の所定距離上方の位置に前記ドアを位置決めするための構造と、
該構造内に後退させた状態で配置され、前記ドアの下方で洗濯籠を受けるに充分な所定距離の水平方向位置に伸張自在に配列され、伸張状態下に前記洗濯籠を載せたままで開閉自在であるようにした棚と、
を含む支持体。
【請求項１３】
棚が上面位置に凹形画室を含む請求項１２の支持体。
【請求項１４】
凹形画室のための開放自在のカバーを含む請求項１３の支持体。
【請求項１５】
凹形画室が棚から取り外し自在である請求項１３の支持体。
【請求項１６】
床の所定距離上方の位置に前記ドアを位置決めするための構造がキャビネットと別体のテーブルである請求項１２の支持体。
【請求項１７】
床の所定距離上方の位置に前記ドアを位置決めするための構造がキャビネット内に位置決めされる請求項１２の支持体。
【請求項１８】
引き出し挿通システムであって、
引き出しと、
該引き出しに摺動自在に取り付けた水平方向の棚にして、引き出しを開放させた場合に引き出しの中身を覆う前位置と、前記開放させた引き出しの中身を露呈させる後位置との間で可動の態様下に引き出しに取り付けた棚と、
該棚に取り外し自在に保持した凹形画室と、
を含む引き出し挿通システム。
【請求項１９】
凹形画室のためのカバーを含んでいる請求項１８の挿通システム。
【請求項２０】
洗濯用家電のための支持体であって、
洗濯用家電を床上の所定距離位置に位置決めするための構造と、
該構造内に位置付けられ、水平方向に伸張及び引込み可能な引き出しと、
該引き出し内に位置付けた棚にして、引き出しを開放させた場合に引き出しの中身を覆う前位置と、前記開放させた引き出しの中身を露呈させる後位置との間で可動の態様下に引き出しに取り付けた棚と、
を含む支持体。
【請求項２１】
棚がその上面位置に凹形画室を有している請求項２０の支持体。
【請求項２２】
凹形画室のための開放自在のカバーを含んでいる請求項２１の支持体。
【請求項２３】
カバーが透明である請求項２２の支持体。
【請求項２４】
凹形画室が棚から取り外し自在である請求項２１の支持体。
【請求項２５】
棚がその上面に開口を有し、該開口を取り巻いて条部が形成され、凹形画室が、前記開口内に受けられる胴部分と、該胴部分を取り巻くリップにして、胴部分を開口内に受けさせたとき前記状部に載置されるリップとを有し、棚の前記上面が開放自在のカバーを更に含み、該カバーが、前記凹形画室を棚に配置した場合に棚の上面と実質的に面一状態に該凹形画室を覆って載置され、凹形画室を棚から取り外した場合は前記開口を覆って載置される請求項２１の支持体。
【請求項２６】
棚が引き出し内で摺動自在である請求項２０の支持体。
【請求項２７】
棚が引き出しに関してピボット廻動自在である請求項２０の支持体。
【請求項２８】
棚が、伸張位置において体重約約４５〜１１３ｋｇの範囲あるいはそれ以上のユーザーを支えることが可能のものであり得る請求項２０の支持体。
【請求項２９】
棚が、洗濯処理機構の下方の床と係合するローラによって支持される請求項２０の支持体。
【請求項３０】
繊維製品を受ける容器と、該容器を床上のある距離位置に位置決めするための支持構造とを有する洗濯用家電と共に使用するためのユーティリティー棚システムであって、
後退した位置から、負荷を受ける伸張位置に伸張自在であり、前記負荷を受ける水平な表面を有する棚と、
前記表面に負荷を受けている棚を水平方向のある位置に維持するべく配列した支持構造と、
を含むユーティリティー棚システム。
【請求項３１】
支持構造が摺動自在の引き出しを含む請求項３０のユーティリティー棚システム。
【請求項３２】
支持構造が支持アームを含む請求項３０のユーティリティー棚システム。
【請求項３３】
支持構造が棚に摺動自在に係合するランナーを含む請求項３０のユーティリティー棚システム。
【請求項３４】
支持構造がローラーを含む請求項３０のユーティリティー棚システム。
【発明の詳細な説明】
【技術分野】
【０００１】
本発明は洗濯機用のユーティリティ棚に関する。
【背景技術】
【０００２】
洗濯用家電には、よく知られているように洗濯機と乾燥機とがある。大抵の乾燥機は洗濯物を正面から投入するタイプのものであり、洗濯物を受けるドラムの回転中心となる水平回転軸を有している。洗濯機は、洗濯物と洗濯液とを受ける洗濯槽の回転中心となる垂直回転軸を持ち、洗濯物を上から投入するタイプのものや、洗濯物を正面から投入する水平回転軸タイプのものがある。
ドラムあるいは洗濯槽には、洗濯用家電のキャビネットの、代表的にはピボット廻動して開閉可能なドアを通してアクセスする。水平回転軸を持つ正面装填型の洗濯用家電の場合、使用に際して洗濯物を出し入れする際に屈まなくても済むよう、アクセス用のドアを洗濯用家電を支持する床よりも高い位置に設けることが知られている。別体のキャビネットあるいはテーブルを洗濯用家電の下に置いて洗濯用家電を床から持ち上げるものや、洗濯用家電それ自体に、ドラム及びあるいは洗濯槽及びドアを所望の高さに上げるために充分に大きい空間をドラムあるいは洗濯槽の下方に配置したものがある。
洗濯用家電を持ち上げる、若しくは洗濯用家電のドラム及びあるいは洗濯槽及びドアを床よりも高く配置することにより、ユーザーは洗濯用家電への洗濯物の出し入れが楽になるが、他方、床に置いた洗濯物バスケットあるいは洗濯籠から何度か洗濯物を取り出す、あるいは洗濯槽から洗濯籠に戻すことになり、ユーザーは洗濯プロセス中に洗濯籠に対して屈む必要がある。
【０００３】
【特許文献１】米国特許第５，６５１，２７８号明細書
【発明の開示】
【発明が解決しようとする課題】
【０００４】
洗濯プロセス中に洗濯籠から洗濯物を取り出す、あるいは洗濯籠に洗濯物を入れるに際してユーザーが屈む必要のない装置を提供することである。
【課題を解決するための手段】
【０００５】
本発明によれば、洗濯プロセス中に洗濯バスケットあるいは洗濯籠から洗濯物を取り出す、あるいは洗濯機から取り出した洗濯物を洗濯籠に入れるに際してユーザーが屈む必要のない装置が提供される。
本発明の１実施例では、洗濯処理機構を包囲するキャビネットを有し、このキャビネットの正面位置には開放自在のドアを設けた洗濯用家電が提供される。この洗濯用家電は、キャビネット内部に後退させた状態で設けた棚を有し、この棚は前記ドアの下方で、その伸延状態において洗濯籠を載置可能であり且つ該洗濯籠を載せた状態で前記ドアを開閉可能とするに充分な水平方向の所定距離の位置に伸延自在な配置構成とされる。
【０００６】
本発明の１実施例では、ドアの下方に位置決めした引き出し内に、この引き出し内で摺動自在の、あるいは引き出し若しくはキャビネットに関してピボット廻動自在の棚が組み込まれ得る。引き出しを設ける場合、棚は、この引き出しの一部分と係合自在とすることで引き出しに関して固定位置に固定され得、また、引き出しから棚を取り外せるようにするための把持用の開口を設け得る。
本発明の１実施例では、棚は引き出し位置で体重約４５〜１１３ｋｇ（１００〜２５０ポンド）の範囲あるいはそれ以上のユーザーを支えることが可能のものであり得る。
本発明の１実施例では、棚は、洗濯用家電の洗濯処理機構の下方に位置決めしたキャビネット構造内のランナーによってのみ支持され得る。
本発明の１実施例では棚は、洗濯処理機構の下方の床と係合するローラーによって支持され得る。
本発明の１実施例では、棚は、ユーザー操作用のラッチを操作してこのラッチ用のキャッチから釈放させることにより伸張され得、棚を伸張位置に偏倚させるためのバネが使用され得る。この場合、ラッチは足での操作が可能とされ得る。
【０００７】
本発明の１実施例では洗濯用家電のための支持体が提供され、洗濯用家電の垂直方向の正面位置には開放可能なドアが設けられる。支持体は、このドアを床上の所定距離位置に位置決めするための構造を有し、この構造内には引き出し式の棚が組み込まれる。棚はドアの下方で、伸張、即ち引き出したときに洗濯籠を十分載せ得る所定距離において水平方向に伸張自在であり且つ洗濯籠を載せたままでドアを開閉可能な配置構成のものとされる。
本発明の１実施例では棚の上面に凹形画室が含まれ得る。この実施例では凹形画室用の開放自在のカバーも設け得る。凹形画室は棚から取り外し自在のものとされ得る。
【０００８】
本発明の１実施例では、洗濯用家電のための支持体が提供される。この支持体には、洗濯用家電を床上の所定距離の位置に位置決めするための構造が含まれ得、この構造内に、水平方向に伸張可能で且つ引込み自在の引き出しを位置付けることができる。また、前記構造には、引き出しを開いたときに引き出しの内部を覆う位置と、その内部を露呈させる位置との間で可動であるように配列した棚が含まれ得る。
【０００９】
本発明の１実施例では、棚はその上面に凹形画室を含み得、この凹形画室を設けた場合は棚は、凹形画室用の開放自在のカバーをも含み得る。カバーを設ける場合、カバーは、ユーザーがこのカバーを開放させなくとも凹形画室の内容を見ることが出来るように透明とするか、あるいは、不透明で且つ棚の色の相補色あるいは対照色のものとすることができる。
【発明を実施するための最良の形態】
【００１０】
本発明によれば、洗濯用家電及びその支持構造と組み合わされる水平な棚が提供され、棚は洗濯籠あるいはユーザーを、ステップ台形態の如く支持する実用性を備え得る。本発明は幾つかの異なる実施例において提供され得、その幾つかは以下に図面に示され且つ説明されるが、これらに限定されるものではない。
【００１１】
図１には本発明の１実施例における洗濯用家電２０が示され、例えば、生地物品用の洗濯機構あるいは乾燥機構である洗濯処理機構２４を包囲するキャビネット２２を有している。キャビネット２２はその正面の垂直フェース２８の位置に開放可能なドア２６を有し、若しくは、垂直軸型の洗濯機であれば、米国特許第５，６５１，２７８号に記載されるような、上面に開放可能な水平ドアを有する。ドア２６は、洗濯機のタブあるいは乾燥機のドラムのような水平に回転する容器２９へのアクセスを提供する。キャビネット２２は洗濯用家電２０を支持する床に向けて下方に伸延され得、あるいは、キャビネット２２を床上に位置決めする別体の支持テーブル３１上に位置決めされ得る。しかしながら、一般に、キャビネット２２の内部の、あるいはキャビネットとは別体の支持構造は、洗濯処理機構２４及びドア２６を洗濯処理機構２４それ自体よりも高い位置に位置決めするためのものとして使用される。
【００１２】
キャビネット２２、あるいは支持テーブル３１の内部には棚３０が収納され、棚３０は、洗濯籠３４を載せるに充分な所定の距離３２（図２）の位置までドア２６の下方で水平方向に移動し、また、洗濯籠を載せたままでドアを開閉できるような配置構成のものとされる。そうした洗濯籠は典型的には高さ約２３〜３８ｃｍ（９〜１５インチ）であることから前記距離３２は約２３〜４５ｃｍ（９〜１８インチ）であるのが好ましい。
【００１３】
図３に示す実施例では棚３０はドア２６の下方に位置決めした引き出し３８内に組み込まれ、引き出し内部で摺動自在であり得る。かくして棚３０は、引き出しを開いた状態で、引き出し３８の中身を覆う前位置と、引き出しの中身を露呈させる後位置との間で可動とされ得る。引き出し３８には、こうした棚の摺動を収受するべく棚３０を摺動自在に支持する水平方向の軌道あるいは条部（ｌｅｄｇｅ）４０を設け得る。棚３０には交互にローラーを設け得、あるいは伸張自在のアームを設け得、若しくは棚を斯界に既知のその他の類似方法で引き出し３８に摺動自在に取り付けることができる。
幾つかの実施例（図３、９、１０）では、棚３０は、この棚を把持して引き出し３８から取り外す、若しくは棚の摺動あるいはピボット廻動を助成するために手で容易に把持することのできる開口４２を有し得る。
【００１４】
本発明の、図４〜図７に示すような実施例では棚３０は引き出し３８あるいはキャビネット２２に関してピボット廻動自在とされ得る。かくして、棚３０（図４及び図５）は、引き出しを開いた状態で、引き出しの中身を覆う下方位置と、引き出しの中身を露呈させる上方位置との間で可動とされ得る。棚３０を引き出し３８と組み合わせて使用する場合、棚を引き出しの後部４４の付近に、引き出しを開くと上方にピボット廻動するようにピボット廻動自在に取付け、かくして引き出しの、棚の下方の貯蔵空間へのアクセスが提供されるようにすることができる。棚３０を、引き出しを完全に開放する位置よりも手前の位置に引き出したときに引き出し３８の中間深さ位置に上向きにピボット廻動するように取付けることもできる。
【００１５】
棚を図４及び図５の実施例のように引き出しを覆うように配置する場合、アクセス時には棚を上方位置に釈放自在に支持しつつも、棚の使用時には水平位置に容易に復帰させ得るようにするための釈放自在の支持アーム４５を設けても良い。引き出しの中身への不正なアクセスを防止するための錠止体４７を引き出し３８に取り付けることもできる。
キャビネット２２あるいは、引き出し３８とは別体の支持テーブル３１に棚３０を設ける場合、棚は、図７の表面取付け位置若しくは図６のようにキャビネット正面の垂直フェース２８に関して後退した取付け位置でキャビネットに関してピボット廻動し、洗濯籠を支持する伸張位置に可動であるように取り付け得る。こうした実施例では、代表的には、棚３０を使用時の水平伸張位置に釈放自在に支持する一方で、格納時の垂直方向位置に容易に復帰させ得るようにするための釈放自在の支持アーム４６が設けられる。
【００１６】
本発明の実施例では、棚３０はその伸張位置で体重約４５〜１１３ｋｇ（１００〜２５０ポンド）の範囲あるいはそれ以上のユーザーを支えることが可能であり得、かくして棚を、キャビネット２２の上面４８あるいはキャビネットの上方に位置決めした、ユニット棚５０（図５）のような保管スペースにアクセスしたいユーザーのための踏み台として使用することが可能である。踏み台としての棚３０は、洗濯槽２９の内部へのユーザーのアクセスを一層容易化させるためにも使用され得る。棚３０を踏み台として使用する場合、ある実施例では棚を洗濯籠３４の代表的な高さよりも高い位置でドア２６に接近して位置決めすることができる。
【００１７】
図５の実施例では、棚３０は洗濯処理機構の下方で床と係合するローラー５４によって支持され得る。これらのローラーは、キャビネット２２に関する棚３０（あるいは引き出し３８）の摺動動作を助成するために設け得、また、伸張位置で体重約４５〜１１３ｋｇ（１００〜２５０ポンド）の範囲あるいはそれ以上のユーザー、若しくは重さ約４．５〜２２ｋｇ（１０〜５０ポンド）の重い洗濯籠を支える棚を支持するためにも使用され得る。
図２に示すような実施例では棚３０は、洗濯処理機構２４の下方に位置決めされた、引き出しとは無関係の支持構造５５の内部に固定したランナーあるいは伸張自在のアーム５２のみによって摺動自在に支持され得る。支持構造５５はキャビネット２２の一部であり得、若しくは別体の支持テーブル３１であり得る。
【００１８】
本発明の実施例では、棚３０はユーザーが操作できるラッチを介して伸張自在とされ得、伸張位置に偏倚させるための１つ以上のバネが使用され得る。ラッチは、棚３０の一部分と共にブロック位置内に移動し得る部分を有するピボット廻動自在のレバー形態、若しくは、棚あるいは棚の孔と係合自在の軸方向可動のピン形態、あるいはその他の、斯界に既知の類似のラッチ配列構成のものであり得る。そうした実施例ではラッチは、押しボタン６７あるいは足操作ペダル６９（図８）の操作を介し、手若しくは足で操作することが可能である。ユーザーがラッチ６０を操作すると棚３０はバネ６２の作動により自動的に伸張位置に移動し、棚を引き込み位置に押すと、ラッチが、再度釈放されるまで棚を引き込み位置に保持する。
【００１９】
図９に最も良く例示される本発明の実施例では、棚３０はその上面７２に凹形画室７０を含み得る。こうした実施例では、凹形画室７０のための、例えばピボット廻動するカバーのような開放自在のカバー７４も設け得る。凹形画室７０を設ける実施例では、この凹形画室は棚３０から取り外し可能とすることができる。例えば、凹形画室７０はこの凹形画室を受ける大きさの開口８０を取り巻いて棚３０に形成した条部７８に載置するリップあるいは周囲フランジ７６を形成し得る。ユーザーが凹形画室７０に小型の物品を保管しようとする場合は、凹形画室７０を開口８０内に配置し、周囲フランジ７６を条部７８に係合させることにより凹形画室を然るべく保持させる。こうした配列構成では、凹形画室７０が充分に深い場合、凹形画室は棚３０の底面よりも下方に伸延し、棚の下方の引き出し空間内に伸延される。開口８０の範囲で棚３０の下方の引き出しの全深さを使用したい場合は凹形画室７０を取り外し、凹形画室を棚の下方の空間内部に伸延させないようにすればよい。カバー７４は、凹形画室７０を取り外した場合でも開口８０が覆われたままにするよう、棚３０に取り付けたままとされ得る。
【００２０】
カバー７４は、カバーを閉じた場合でも凹形画室７０の中身を見ることが出来るように透明なものとし得、あるいは、棚の上面７２の色と調和する色のものとしても良い。カバーは、凹形画室を棚に配置した場合に棚の上面と実質的に面一状態に該凹形画室を覆って載置され、凹形画室を棚から取り外した場合は前記開口を覆って載置され得る。
引き出し３８を使用する実施例では棚３０は、引き出し挿通システムの一部であり得る。引き出し挿通システムには、引き出しの一方側から他方側に、例えば前方から後方に伸張して引き出しの内部空間をもっと小さい個別の画室に仕切る、例えば１つ以上の引き出し仕切８２（図３及び図４）のような追加部材が含まれる。引き出し仕切８２は引き出しの横方向の一方側から他方側に伸延されるものでもあり得る。
【００２１】
図３に示すような引き出し３８を設ける実施例では、棚３０の一部をインサートあるいは引き出しの一部、例えば引き出しの前壁８５の裏側部分８４と係合自在とし、棚を引き出しに関して固定した位置に固定させることができる。棚３０と引き出し３８との係合は摩擦嵌め、若しくは舌部及び溝配列構成の如きよりなる戻止め、あるいはバネ負荷式のキャッチ、あるいはその他の斯界に既知の類似の係合機構を使用することができる。棚に関する大きな水平方向力が引き出し３８に、若しくはその逆の関係に於いて作用しないことから、係合機構は、ユーザーが特に希望しない限り大きな保持力を有する必要はなくしかも、引き出しを開く、若しくは閉じたときに棚と引き出しとが相対移動するのを防止する上で有益である。
【００２２】
図１０に示すような代表的な洗濯機配列構成では、洗濯機８６と乾燥機８８とは全体的に横に並べて設置される。本発明の様相によれば、洗濯機と乾燥機、そしてキャビネットのドア２６は床よりも高い位置にあり、引込み自在且つ伸張自在の棚３０が、洗濯機８６及び乾燥機８８のためのキャビネット２２の内部、あるいは別体の支持テーブル３１の内部に設けられる。夫々の棚３０を伸張させると比較的連続した表面が提供される。各棚の間部分には間隙９０があるが、この間隙の幅は洗濯籠３４の長さよりもずっと小さいので２つの棚の間で洗濯籠を滑らせ、ユーザーが洗濯物を洗濯機と乾燥機との間で移動させるサイン洗濯籠を持ち上げるあるいは移動させるために屈む必要は無くなる。
【００２３】
棚３０と、棚挿通システムのその他の各部品とは、支持するべき負荷に基づき、所望に応じた、あるいは必要な種々の材料から形成し得る。例えば、棚３０を、洗濯籠３４を支持するが人は支えないようにして使用する場合、棚は成型プラスチック材料製とすることができる。棚を金属、木材、あるいはその組み合わせ材料から形成することもできる。棚を、ユーザーの体重の如きを支持するために使用する場合は棚の材料とその厚さはそうした重さを支え得る用なものを選択するべきであり、それらの材料には、先に議論した材料の何れか、若しくはその組み合わせが含まれ得る。
以上、本発明を実施例を参照して説明したが、本発明の内で種々の変更をなし得ることを理解されたい。
【図面の簡単な説明】
【００２４】
【図１】本発明の対象とし得る洗濯用家電の斜視図である。
【図２】本発明を組み込んだ洗濯用家電及び支持構造の実施例の概略側面図である。
【図３】本発明の洗濯用家電の支持体構造の実施例の部分斜視図である。
【図４】本発明の支持構造の引き出し部品の概略斜視図である。
【図５】洗濯用家電及び支持構造の縦方向の側面図である。
【図６】洗濯用家電及び支持構造の縦方向の側面図である。
【図７】洗濯用家電及び支持構造の縦方向の側面図である。
【図８】洗濯用家電及び支持構造の縦方向の正面図である。
【図９】棚部分の斜視図である。
【図１０】２台の洗濯用家電及び支持構造で示す斜視図である。
【符号の説明】
【００２５】
２０  洗濯用家電
２２  キャビネット
２４  洗濯処理機構
２６  ドア
２８  垂直フェース
２９  洗濯槽
３０  棚
３１  支持テーブル
３４  洗濯籠
３８  引き出し
４２  手動把持開口
４４  後部
４５  支持アーム
４６  支持アーム
４７  錠止体
４８  上面
５０  棚ユニット
５２  伸張自在のアーム
５４  ローラー
５５  支持構造
６０  ラッチ
６２  バネ
６７  ボタン
６９  足操作ペダル
７０  凹形画室
７２  上面
７４  カバー
７６  周囲フランジ
７８  条部
８０  開口
８２  仕切
８４  裏側部分
８５  前壁
８６  洗濯機
８８  乾燥機
９０  間隙
【図１】
2005230544.tif 000003
【図２】
2005230544.tif 000004
【図３】
2005230544.tif 000005
【図４】
2005230544.tif 000006
【図５】
2005230544.tif 000007
【図６】
2005230544.tif 000008
【図７】
2005230544.tif 000009
【図８】
2005230544.tif 000010
【図９】
2005230544.tif 000011
【図１０】
2005230544.tif 000012